(57)【要約】【課題】  リフト構造を具現化する際における重量の増大化や製造コストの高騰化を阻止する。【解決手段】  固定側１に対して昇降床２を昇降させる支持脚４が固定側１と昇降床２との間における四隅部に配在されてなる一方で、基端部を固定側１に枢着する固定側リンク部材４１と基端部を昇降床２に枢着する床側リンク部材４２とを有してなり、上記の四隅部で前後あるいは左右となる一方向で一対となる支持脚４の一方の支持脚にあって先端部を昇降床２に移動可能に当接させる固定側リンク部材４１の中間部に床側リンク部材４２の先端部を枢着させると共に、他方の支持脚４にあって先端部を固定側に移動可能に当接させる床側リンク部材４２の中間部に固定側リンク部材４１の先端部を枢着させてなり、駆動手段３がその駆動時に上記の一対となる支持脚４を同期して屈伸させてなる。【選択図】        図１
2006027738.tif 000002
【特許請求の範囲】
【請求項１】
基台などの固定側と、この固定側の上方に配在される昇降床と、固定側と昇降床との間に配在されながら駆動手段の駆動で屈伸して固定側に対して昇降床を昇降させる支持脚とを有してなるリフト構造において、支持脚が固定側と昇降床との間における四隅部に配在されてなる一方で、基端部を固定側に枢着する固定側リンク部材と基端部を昇降床に枢着する床側リンク部材とを有してなり、上記の四隅部で前後あるいは左右となる一方向で一対となる支持脚の一方の支持脚にあって先端部を昇降床に移動可能に当接させる固定側リンク部材の中間部に床側リンク部材の先端部を枢着させると共に、他方の支持脚にあって先端部を固定側に移動可能に当接させる床側リンク部材の中間部に固定側リンク部材の先端部を枢着させてなり、駆動手段がその駆動時に上記の一対となる支持脚を同期して屈伸させてなることを特徴とするリフト構造
【請求項２】
昇降床が床板の下面にフレームを有すると共にこのフレームに支持脚を構成する床側リンク部材の基端部を枢着させながら固定側リンク部材の先端部を当接させてなる請求項１に記載のリフト構造
【請求項３】
駆動手段がターンバックル機構からなると共に左右のそれぞれ一対となる支持脚の間に配在れてされながら左右の支持脚に連繋されてなる請求項１に記載のリフト構造
【請求項４】
固定側が固定側リンク部材の基端部を枢着させながら床側リンク部材の先端部を当接させるフレームからなると共にこのフレームにキャスタを有してなる請求項１に記載のリフト構造
【発明の詳細な説明】
【技術分野】
【０００１】
この発明は、リフト構造に関し、特に、支持脚における屈伸で昇降する昇降床に作用する荷重が昇降床上で移動することがある場合の利用に適するリフト構造の改良に関する。
【背景技術】
【０００２】
リフト構造としては、これまでに種々の提案があるが、その中で、たとえば、特許文献１には、人の立ち入りを許容しあるいは荷物などの載置を可能にする床たる昇降床をパンタグラフ状に形成された支持脚、すなわち、二本のリンク部材をＸ字状に枢着してなる支持脚で支えるものが開示されている。
【０００３】
そして、この開示されているリフト構造にあっては、二本のリンク部材からなる支持脚のそれぞれ一対となる上下端部にあって、一方が固定端部とされて昇降床および昇降床の下方の固定側に枢着されると共に他方が移動端部とされて、昇降固定側床および固定側に移動可能に当接されるとしている。
【０００４】
それゆえ、この言わば従来提案としてのリフト構造にあっては、Ｘ字状の支持脚が駆動手段の駆動で屈伸されることで、支持脚において、固定端部が枢着された状態下に移動端部が移動し、昇降床が固定側に対して昇降することになる。
【特許文献１】特開平８−２１１１３号公報（明細書中の段落００１１，同００１３，同００１４）
【発明の開示】
【発明が解決しようとする課題】
【０００５】
しかしながら、上記したリフト構造にあっては、いわゆる構成部材数が多くなり、したがって、このリフト構造を具現化するにあって、重量の増大化や製造コストの高騰化を回避し得なくなると指摘される可能性がある。
【０００６】
すなわち、上記の提案では、昇降床を昇降可能に支える支持脚がＸ字状に形成されていて、昇降床に当接される移動端部が固定端部に近づくように移動するときには、固定側に当接される移動端部も固定端部に近づくように移動することになる。
【０００７】
それゆえ、支持脚が伸張するのに伴い移動端部が固定端部に近づくから、固定端部と移動端部との間隔、すなわち、支点の間隔が狭くなる上に、移動端部がいわゆる退避した昇降床部分は跳ね出し部分となり、この跳ね出し部分上に荷重が作用する場合に昇降床が全体として水平状態を維持し得なくなり、その分、安定性に欠け易くなる。
【０００８】
そこで、上記した提案にあっては、昇降床に跳ね出し部分が出現するとしても、昇降床における安定性を保障すべく、昇降床から垂下されるガイドレールが下方の固定側から起立する基枠に連繋されるとして、昇降床が全体として水平状態を維持し得るようにしている。
【０００９】
それゆえ、上記した提案にあっては、固定側から起立する基枠や昇降床から垂下されるガイドレールが必須になり、その分構成部品数を多くすることになり、このリフト構造を具現化するにあって、重量の増大化や製造コストの高騰化を招来すると指摘されることになる。
【００１０】
この発明は、このような現状を鑑みて創案されたものであって、その目的とするところは、重量の増大化や製造コストの高騰化を阻止して、その汎用性の向上を期待するのに最適となるリフト構造を提供することである。
【課題を解決するための手段】
【００１１】
上記した目的を達成するために、この発明によるリフト構造の構成を、基台などの固定側と、この固定側の上方に配在される昇降床と、固定側と昇降床との間に配在されながら駆動手段の駆動で屈伸して固定側に対して昇降床を昇降させる支持脚とを有してなるリフト構造において、支持脚が固定側と昇降床との間における四隅部に配在されてなる一方で、基端部を固定側に枢着する固定側リンク部材と基端部を昇降床に枢着する床側リンク部材とを有してなり、上記の四隅部で前後あるいは左右となる一方向で一対となる支持脚における一方の支持脚にあって先端部を昇降床に移動可能に当接させる固定側リンク部材の中間部に床側リンク部材の先端部を枢着させると共に、他方の支持脚にあって先端部を固定側に移動可能に当接させる床側リンク部材の中間部に固定側リンク部材の先端部を枢着させてなり、駆動手段がその駆動時に上記の一対となる支持脚を同期して屈伸させてなるとする。
【発明の効果】
【００１２】
それゆえ、請求項１の発明にあって、昇降床は、四隅部に支持脚における基端部を枢着させた状態に支持されるから、支持脚の伸張時に昇降床において支持脚で支持されない跳ね出し部分が出現されなくなり、昇降床を安定状態に支持し得ることになる。
【００１３】
このとき、昇降床を支持する一対の支持脚を形成する一方の支持脚にあって先端部を昇降床に移動可能に当接させる固定側リンク部材の中間部に床側リンク部材の先端部を枢着させると共に、同じく他方の支持脚にあって先端部を固定側に移動可能に当接させる床側リンク部材の中間部に固定側リンク部材の先端部を枢着させる一方で、この一対となる支持脚にターンバックル機構からなる駆動手段が連繋されてなるから、この駆動手段の駆動でこの駆動手段が連繋する支持脚が屈伸すると共にこの支持脚における屈伸状態の維持が可能になり、昇降床の安定した支持状態を実現し得ることになる。
【００１４】
その結果、この発明にあっては、支持脚の伸張時に昇降床において支持脚で支持されない跳ね出し部分を出現させないから、跳ね出し部分を出現させる場合にその弊害を回避するための構成、すなわち、部材を不要にして、その分構成部品数を多くせず、その具現化にあって、重量のいたずらな増大化や製造コストの高騰化を回避し得ることになる。
【発明を実施するための最良の形態】
【００１５】
以下に、図示した実施形態に基づいて、この発明を説明するが、この発明によるリフト構造は、図示するところでは、交響楽団の演奏時に指揮者が立ち入る指揮台に具現化されてなるとするもので、図１および図２に示すように、基台などの固定側１と、この固定側１の上方に配在される昇降床２と、固定側１と昇降床２との間に配在されながら駆動手段３の駆動で屈伸して固定側１に対して昇降床２を昇降させる支持脚４とを有してなる。
【００１６】
すなわち、まず、固定側１は、昇降床２を可動側とすれば、恒久的に固定側とされる部位を言うものであって、たとえば、劇場の床であったりあるいは舞台の下方の奈落における床であったりすることがある。
【００１７】
そして、図示するところでは、固定側１は、所定の機械的強度を有する基台たるフレーム１１からなると共に、このフレーム１１にキャスタ１２（図２参照）を分離可能に有するとしており、キャスタ１２を有するとき、この指揮台を、たとえば、劇場の床上で移動可能にし得ると共に、キャスタ１２を分離するとき、この指揮台を劇場の床上に固定状態に定着し得ることになる。
【００１８】
ちなみに、キャスタ１２を有する場合にも、キャスタ１２が作動不作動を選択し得るように構成される場合には、所望時にこの指揮台を固定状態に維持し、あるいは、移動可能にし得ることになるのはもちろんである。
【００１９】
なお、図示しないが、固定側１を上記の奈落における床とする場合には、指揮台が言わば迫り構造に形成されることになり、不要のときは、舞台下に収納されているが、必要時には、舞台上に迫り出すようにして使用状態におかれるとしても良いことはもちろんである。
【００２０】
つぎに、昇降床２は、凡そ人の立ち入りを許容しあるいは荷物などの載置を可能にする限りには、任意の構成が選択されて良いが、多くの場合には、物の抜け落ちを効果的に阻止できる床板２１を有してなるとするであろう。
【００２１】
そして、この昇降床２にあって、この床板２１が指揮者の立ち入りを許容するものであるとき、多くの場合に化粧板からなるであろうが、この化粧板からなるのみの構成では機械的強度が不足しがちになるから、床板２１の下面にフレーム２２を有してなるとしている。
【００２２】
すなわち、この昇降床１は、図示するところでは、実質的には、所定の機械的強度を有するフレーム２２からなり、このフレーム２２の上面に化粧板からなる床板２１有する構成とされている。
【００２３】
ちなみに、この昇降床２にあっては、床板２１上に指揮者が立ち入ること、および、この指揮者が多くの場合に床板２１上で動き回ることを鑑みて、手摺を兼ねる柵２３を有してなるとしている。
【００２４】
もっとも、指揮台を利用する指揮者にあっては、いわゆる好みで、上記の柵２３を不要とする者も居ることを鑑みれば、この柵２３が分離可能に配在されてなると設定することも必要であろう。
【００２５】
なお、図示するところにあっては、いわゆる外観を良くするために、昇降床２と前記した固定側１との間を外部から隠蔽する目隠し材２４が昇降床１に垂設されてなるとしており、このとき、目隠し材２４としては、伸縮可能とされあるいは折り畳み可能とされるなど任意の構成が選択されて良い。
【００２６】
そして、このリフト構造が迫り装置に具現化される場合には、その利用状態を鑑みると、上記の目隠し材２４の配在を不要にすると設定されても良いことはもちろんであろう。
【００２７】
ところで、この指揮台にあっては、上記した昇降床２と固定側１との間に駆動手段３の駆動で屈伸して固定側１に対して昇降床２を昇降させる支持脚４を有してなるとしている。
【００２８】
そこで、以下には、この駆動手段３と支持脚４について説明するが、この発明の理解を容易にする上からは、まず、支持脚４について説明し、その後に、駆動手段３について説明する。
【００２９】
すなわち、まず、支持脚４は、基本的には、固定側１と昇降床２との間における四隅部に配在されるとしており、この状態で、図１中で下端部となる基端部を固定側１に枢着する固定側リンク部材４１と、図１中で上端部となる基端部を昇降床２に枢着する床側リンク部材４２とを有してなるとしている。
【００３０】
このとき、昇降床２の平面視における長手方向となる前後方向で一対となる、すなわち、図示するところでは、図１中の左右方向で一対となる支持脚４の一方たる左方の支持脚４にあっては、固定側リンク部材４１の上端部たる先端部が昇降床２に移動可能に当接されるとしており、同じく他方たる右方の支持脚４にあっては、床側リンク部材４２の下端部たる先端部が固定側１に移動可能に当接されるとしている。
【００３１】
そして、図１中で左方となる一方の固定側リンク部材４１の中間部に床側リンク部材４２の先端部が枢着されると共に、図１中で右方となる他方の床側リンク部材４２の中間部に固定側リンク部材４１の先端部が枢着されるとしている。
【００３２】
それゆえ、この一対となる各支持脚４にあっては、固定側リンク部材４１と床側リンク部材４２との枢着点で二つ折りされる状態に折り畳まれ、また、伸張されることになる。
【００３３】
このとき、すなわち、支持脚４が二つ折り状態にされるとき、図示するところでは、上記の枢着点が昇降床２の下方から外部に突出せずして、昇降床２の下方に位置決められることになるように配慮されている（図１参照）。
【００３４】
なお、昇降床２を支持する機構からすれば、支持脚４の二つ折り状態にされた枢着点が昇降床２の下方から外部に突出する選択でも構わないと言い得るが、いわゆる外観を悪くするし、突出した枢着点がいわゆる邪魔になる不具合が招来される観点からすれば、好ましい選択とは言い得ないであろう。
【００３５】
ところで、この発明にあって、支持脚４は、単に二つ折り可能とされるだけでなく、固定側リンク部材４１における先端部を昇降床２に当接させると共に、床側リンク部材４２の先端部を固定側に当接させるとして、固定側１および昇降床２に対する支持点、すなわち、支点を確保する構成とされている。
【００３６】
このとき、具体的には、図１に示すように、一方の固定側リンク部材４１の先端部は、昇降床２を構成するフレーム２１に附設されたガイドレール２５に連繋してなるとし、他方の床側リンク部材４２の先端部は、固定側１を構成するフレーム１１に附設されたガイドレール１３に連繋してなるとし、各先端部は、支持脚４の屈伸時に、このガイドレール２５，１３に副って移動するとしている。
【００３７】
それゆえ、指揮台にあって、固定側１の上方にある昇降床２は、支持脚４における折り畳みが後述する駆動手段３で阻止されていることを条件にするが、いわゆる二股構造になる支持脚４で支持されることになり、このとき、支持脚４における上端部たる基端部が昇降床２の平面視における四隅部にいわゆる固定状態に連繋されるから、この状態下に、昇降床２に当接される先端部が支持脚４の伸張時に基端部に近づくようになって後退することになっても、昇降床２において支持脚４で支持されない跳ね出し部分が出現されなくなる（図１中の仮想線図参照）。
【００３８】
また、この指揮台にあって、昇降床２は、いわゆる二股構造になる支持脚４で支持されるから、上記した四隅部で支持されるだけでなく、いわゆる支持点、すなわち、支点が増えることになり、昇降床２のより安定した支持状態を具現化できることになる。
【００３９】
その結果、この発明にあっては、支持脚４の伸張時に昇降床２において支持脚４で支持されない跳ね出し部分を出現させないから、跳ね出し部分を出現させる場合にその弊害を回避するための構成、すなわち、前記した特許文献１に開示の場合にように、言わば余計な構成部品を要することにならず、その分構成部品数を多くせず、その具現化にあって、重量のいたずらな増大化や製造コストの高騰化を回避し得ることになる。
【００４０】
ところで、支点数が増えることで、昇降床２のより安定した支持状態を具現化できるとする観点からすれば、上記したところに代えて、図３および図４に示す支持脚４の配在態様を選択することも可能になる。
【００４１】
すなわち、図３および図４に示すところでは、いわゆる一対の支持脚４を形成する図中で左方となる一方の支持脚４に対して、同じく一対の支持脚４を形成する図中で右方となる他方の支持脚４がいわゆる線対称の態様に配在されるとしている。
【００４２】
このとき、図３に示すところでは、支持脚４がいわゆるＹ字形に言わば正立して、昇降床２に複数の支点、すなわち、四箇所の支点が配在されるとし、図４に示すところでは、支持脚４が言わば倒立して、固定側１に四箇所の支点が配在されるとしている。
【００４３】
それゆえ、この発明が原理とするところからすれば、上記の図３および図４のいずれであっても、昇降床２に跳ね出し部分を出現させないとする所期の目的を達成できることになる。
【００４４】
ただ、両者を比較すると、図３に示すところの方が図４に示すところに比較して、昇降床２に対する支点数が多くなり、それゆえ、昇降床２上に荷重が作用するときに、これを撓ませ難くする上からは有利となると言い得るが、両者とも、前記したところと比較すれば、昇降床２における絶対長さを大きくするから、その要請がある場合を除くと、不具合があることになり、余り有利とは言い得ないであろう。
【００４５】
もっとも、昇降床２における絶対長さを小さくするためには、一対の支持脚４が折り畳まれたとき、互いに干渉しないようにいわゆる重ねる配置も選択できるが、いわゆるバランス良く昇降床２を支持しようとする配慮には適合し難くなり、好ましい選択とは言い得ないとされるであろう。
【００４６】
一方、上記したように構成される支持脚４を屈伸させるのが駆動手段３であるが、この発明にあって、駆動手段３は、支持脚４を単に屈伸させるだけでなく、一対の支持脚４を同期して屈伸させ得るように構成されている。
【００４７】
すなわち、この発明にあっては、駆動手段３は、ターンバックル機構からなるとしており、入力軸３１のいわゆる先端側と基端側とで螺線方向を逆にするネジ部３１ａ，３１ｂを有していて、一方のネジ部３１ａが一対となる支持脚４の一方の支持脚４に連繋し、他方のネジ部３１ｂが他方の支持脚４に連繋するとしている（図１参照）。
【００４８】
そして、図示するところにあって、入力軸３１は、それぞれ一対となる左右の支持脚４の間に配在されながら左右の支持脚４に連繋されてなるとしており（図２参照）、いわゆる一つの動作によって左右でそれぞれ一対となる支持脚４が同期して屈伸するとしている。
【００４９】
このとき、図示するところでは、図２に示すように、左右の支持脚４が互いにブラケット３２，３３で繋がれているとし、上記した同期する屈伸の実現を補佐するとしている。
【００５０】
そしてまた、図示するところでは、上記の入力軸３１が人力による手動操作で回動されるとしており、電動モータを装備するなどで、この電動モータに電流を導くためのリード線が接続されるなどになり、指揮台におけるいわゆる搬送性が低下され易くなる不具合の招来をあらかじめ排除するとしている。
【００５１】
それゆえ、上記の駆動手段３にあっては、入力軸３１がいわゆるターンバックル機構を構成するから、これを回動することで、一対の支持脚４が二つ折りされる枢着点を互いに遠近させるようにして屈伸することになり、また、この入力軸３１の回動が停止されるときに、一対の支持脚４における屈伸が阻止され、昇降床２が所望の高さ位置に維持されることになる。
【００５２】
前記したところでは、この発明によるリフト構造が指揮台に具現化されてなる場合を例にしたが、この発明が意図するところからすれば、支持脚の伸張時に固定側１に対向する昇降床２に支点が当接されない跳ね出し部分を出現させないことであるから、この昇降床２に代えて、図示しないが、たとえば、いわゆる立てられた遮蔽板やフレーム類を水平方向に押し出したり引き寄せたりする機構や装置類にこの発明のリフト構造が具現化されるとしても良く、その場合の作用効果も、基本的に、異ならないことはもちろんである。
【図面の簡単な説明】
【００５３】
【図１】この発明によるリフト構造を具現化した指揮台を一部断面にして示す正面図である。
【図２】図１の指揮台を側面側から示す立て断面図である。
【図３】他の実施形態による一対の支持脚の配在状態を示す概念図である。
【図４】さらに他の実施形態による一対の支持脚の配在状態を示す概念図である。
【符号の説明】
【００５４】
１  固定側
２  昇降床
３  駆動手段
４  支持脚
１１，２２  フレーム
１２  キャスタ
２１  床板
４１  固定側リンク部材
４２  床側リンク部材
【図１】
2006027738.tif 000003
【図２】
2006027738.tif 000004
【図３】
2006027738.tif 000005
【図４】
2006027738.tif 000006